(57)【要約】   【課題】竪樋内を雨水が流れる際に雨水が竪樋内壁面に沿って流れ、雨水の自由落下による落下音を確実に防止できる竪樋継手を提供することを目的とする。  【解決手段】  竪樋継手２７の竪樋継手本体２７ａに、筒状で円錐台形の雨水ガイド部材３０が竪樋継手本体２７ａと同心で固着部材３１を介して竪樋継手本体２７ａの内部に固着される。固着部材３１は雨水ガイド部材３０の頂面３０ａの平面断面形状と同形状の断面を持つ筒状に形成され、雨水ガイド部材３０の頂面３０ａと竪樋継手本体２７ａの内壁面２７ｂを同心で連結して固着される。雨水ガイド部材３０は竪樋継手２７から下方に突出して形成され、この雨水ガイド部材３０と竪樋継手本体２７ａの内壁面２７ｂとの間に略全周に亘って間隙Ｑが形成されるので雨水Ｐは自由落下せず内壁面２７ｂに沿って流下するので地面２４に落下する際の落下音がなくなる。【選択図】  図２
2010077632.tif 000002
【特許請求の範囲】
【請求項１】
筒状の竪樋継手本体に、筒状で頂面が塞がれた円錐台形又は多角錐台形の雨水ガイド部材が前記竪樋継手本体と同心で前記竪樋継手本体に固着部材を介して固着され、この雨水ガイド部材と前記竪樋継手本体の内壁面との間に略全周に亘って間隙を設けることを特徴とする竪樋継手。
【請求項２】
請求項１記載の竪樋継手であって、前記竪樋継手はエルボ継手であり、前記固着部材は前記雨水ガイド部材の頂面と前記竪樋継手の内壁面を連結して固着されることを特徴とする竪樋継手。
【請求項３】
請求項２記載の竪樋継手であって、前記固着部材は前記雨水ガイド部材の頂面の平面断面形状と同形状の断面を持つ筒状に形成されることを特徴とする竪樋継手。
【請求項４】
請求項２又は請求項３記載の竪樋継手であって、前記雨水ガイド部材は前記竪樋継手から下方に突出して形成されることを特徴とする竪樋継手。
【請求項５】
請求項１記載の竪樋継手であって、前記竪樋継手は直管部に設けられ、前記固着部材は雨水ガイド部材の側面と前記竪樋継手の内壁面を連結して固着されることを特徴とする竪樋継手。
【発明の詳細な説明】
【技術分野】
【０００１】
本発明は、建物の竪樋を接続する竪樋継手に関し、詳しくは、竪樋内を流れる雨水による騒音発生を低減する竪樋継手に関する。
【背景技術】
【０００２】
従来、竪樋内を雨水が流れる際に雨水が地面にぶつかって落下音が発生するという問題があった。
【０００３】
この問題を解決する構成が特許文献１に開示されている。図５に示すように、筒状の竪樋継手本体１の内壁面２より斜め下方へ傾斜して邪魔板３を突設し、邪魔板３の先端縁と竪樋継手本体１の対向する内壁面２との間に流通間隙４を形成する。
【０００４】
竪樋継手本体１はエルボ５の上方近くに設けられており、邪魔板３は竪樋継手本体１の上下方向で交互に二組突設される。竪樋継手本体１及び邪魔板３は金属板で形成され、邪魔板３の上面に多数の細片６が突設されてなる消音層７が植毛によって設けられている。
【０００５】
竪樋継手本体１の上端開口には被嵌接続部８が延設されており、被嵌接続部８に竪樋９の下端が挿入嵌合接続される。又、竪樋継手本体１の下端開口には挿入接続部１０が延設されており、挿入接続部１０はその下方のエルボ５の上端開口に挿入嵌合接続される。エルボ５の下端には階下の屋根上に施工される這い樋１１が接続されており、竪樋９は這い樋１１と階上の軒先に施工される図示しない軒樋或いは呼び樋とを接続する。
【０００６】
したがって、竪樋継手本体１内で雨水Ｗが邪魔板３上に当たって流れが減速されるが、その際、邪魔板３が斜め下方へ傾斜するので、雨水は邪魔板３に沿って騒音を発することなくスムーズに伝い流れ、流通間隙４から支障なく流下する。そして、雨水Ｗ２は下方のエルボ５や這い樋１１等の内部を緩やか且つスムーズに流下されるので騒音の発生が低減される。
【特許文献１】特開平９−１２５６３６号公報
【発明の開示】
【発明が解決しようとする課題】
【０００７】
ところが、竪樋継手本体１内で雨水Ｗが邪魔板３に当たってジグザグ状に向きを変えながら流下するが、雨水Ｗ２が自由落下して下方のエルボ５に当たる箇所では落下音が大きく消音効果は充分に得られない。また、長期の使用によって消音層７の植毛が剥げて消音効果が減少するという問題があった。
【０００８】
そこで、本発明は、竪樋内を雨水が流れる際に雨水が竪樋内壁面に沿って流れ、雨水の自由落下による落下音を確実に防止できる竪樋継手を提供することを目的とする。
【課題を解決するための手段】
【０００９】
請求項１の発明は、筒状の竪樋継手本体に、筒状で頂面が塞がれた円錐台形又は多角錐台形の雨水ガイド部材が前記竪樋継手本体と同心で前記竪樋継手本体に固着部材を介して固着され、この雨水ガイド部材と前記竪樋継手本体の内壁面との間に略全周に亘って間隙を設けることを特徴とする竪樋継手である。このため、雨水は円錐台形又は多角錐台形の側面によって前記竪樋継手本体の内壁面に向けて流され、雨水は雨水ガイド部材と前記竪樋継手本体の内壁面との間の間隙を流れるので、前記竪樋継手本体の内壁面に沿って流下することができる。
【００１０】
請求項２の発明は、請求項１記載の竪樋継手であって、前記竪樋継手はエルボ継手であり、前記固着部材は前記雨水ガイド部材の頂面と前記竪樋継手における内壁面を連結して固着されることを特徴としている。このため、前記固着部材に邪魔されないので前記竪樋継手本体の内壁面との間の間隙が内壁面に沿って全周に亘って形成することができる。
【００１１】
請求項３の発明は、請求項２記載の竪樋継手であって、前記固着部材は前記雨水ガイド部材の頂面の平面断面形状と同形状の断面を持つ筒状に形成されることを特徴としている。
【００１２】
請求項４の発明は、請求項２又は請求項３記載の竪樋継手であって、前記雨水ガイド部材は前記竪樋継手から下方に突出して形成されることを特徴とする竪樋継手。
【００１３】
請求項５の発明は、請求項１記載の竪樋継手であって、前記竪樋継手は直管部に設けられ、前記固着部材は雨水ガイド部材の側面と前記竪樋継手の内壁面を連結して固着されることを特徴としている。
【発明の効果】
【００１４】
請求項１の発明によれば、筒状で頂面が塞がれた円錐台形又は多角錐台形の雨水ガイド部材が前記竪樋継手本体と同心で前記竪樋継手本体に固着部材を介して固着されるので、雨水は雨水ガイド部材と前記竪樋継手本体の内壁面との間の間隙を流れ、雨水は前記竪樋継手本体の内壁面に沿って流下するので、雨水は前記竪樋継手本体を含む竪樋全域において自由落下せずに内壁面に沿って流下する。さらに、円錐台形又は多角錐台形の側面周囲に沿って下方に連続的に間隙が減少するので、雨水は間隙内で僅かな時間滞留する間に層流に整流されるので、雨水が雨水ガイド部材から離れる状態で前記竪樋継手本体を含む竪樋全域において確実に内壁面に沿って流下することができる。このため、雨水が自由落下することがないので、雨水が竪樋内を流れる際に雨水が地面にぶつかって発生する落下音を確実に防止できることができる。また、メンテナンスフリーなので長期的にコスト低減できる。
【００１５】
請求項２の発明によれば、前記竪樋継手はエルボ継手であり、前記固着部材は前記雨水ガイド部材の頂面と前記竪樋継手における内壁面を連結して固着されるので、前記固着部材と前記竪樋継手本体の内壁面との間の間隙が阻害物もなく内壁面の全周に亘って形成することができる。このため、雨水はより確実に内壁面に沿って流下するので、請求項1の効果と同様の効果が得られる。
【００１６】
請求項３の発明によれば、前記固着部材は前記雨水ガイド部材の頂面の平面断面形状と同形状の断面を持つ筒状に形成されるので、雨水は前記竪樋継手内で斜め上方から筒状の前記固着部材を回り込むようにして流下する。このため、雨水はより確実に内壁面の全周から流下するので、請求項1の効果と同様の効果を確実に得ることができる。
【００１７】
請求項４の発明によれば、前記雨水ガイド部材は前記竪樋継手から下方に突出して形成されるので、前記雨水ガイド部材と前記竪樋継手の下端部の間に間隙が確保できる。このため、エルボ管である湾曲する前記竪樋継手の狭い管内に前記固着部材を取付ける際に作業スペースが確保できるので取付が容易で作業性が向上する。
【００１８】
請求項５の発明によれば、前記竪樋継手は直管部に設けられ、前記固着部材は雨水ガイド部材の側面と前記竪樋継手の内壁面を連結して固着されるので、雨水は前記竪樋継手本体を含む竪樋全域において請求項１の発明の効果と同様の効果を確実に得ることができる。
【発明を実施するための最良の形態】
【００１９】
＜竪樋継手の構成＞
以下に、本発明の第一の実施形態を図１〜図３に基づいて説明する。図１、図２、図３（ａ）（ｂ）に示すように、雨水Ｐは建物の屋根２１から軒樋２２に流れ、軒樋２２の底面に連結する竪樋２３によって地面２４に直接流下する。ここで、地面２４はコンクリート土間やバルコニーのように表面が硬い地面であり、竪樋２３の下端部２５は地面２４から高さＨ（略２０ｍｍ）で間隙を有している。竪樋２３は円筒形状で、竪樋継手２７として円筒状のエルボ継手を二組使用することによって竪樋２３を軒樋２２から建物近くの地面２４まで水平に位置移動される。二組の竪樋継手２７間は水平に対して角度θで傾斜する。
【００２０】
下流側の竪樋継手２７の竪樋継手本体２７ａに、筒状で上方に向かって縮径する円錐台形状の雨水ガイド部材３０（頂面３０ａの外径Ｓ２、底面３０ｂの外径Ｓ１、高さＨ１）が、竪樋継手本体２７ａの垂直軸心上で竪樋継手本体２７ａのエルボ内部の内壁面２７ｂに固着部材３１を介して固着される。より詳しくは、雨水ガイド部材３０の頂面３０ａと竪樋継手本体２７ａの下端部２７ｃは同心で、この同心の垂直延長線上の内壁面２７ｂと頂面３０ａ間が固着部材３１で連結固着され、固着部材３１は雨水ガイド部材３０の頂面３０ａと同じ外径Ｓ２の円筒形状で形成される。
【００２１】
このため、雨水ガイド部材３０の頂面３０ａに塞ぎ板は不要で、固着部材３１によって円錐台形の頂面３０ａが実質的に塞がれた状態に形成されるので、雨水ガイド部材３０の内部に上方からの雨水Ｐは回りこまない構造である。なお、底面３０ｂも塞ぎ板がなくてもよい。
【００２２】
雨水ガイド部材３０は竪樋継手２７から下方に突出して形成され、この雨水ガイド部材３０と竪樋継手本体２７ａの内壁面２７ｂとの間に略全周に亘って間隙Ｑが形成される。なお、竪樋継手２７の下部に竪樋継手２７の内径Ｓ３と同径の竪樋２３が連結するので、間隙Ｑは雨水ガイド部材３０の底面３０ｂと竪樋２３の内壁面２３ａとの間隙Ｑ１が最も狭い間隙となる。間隙Ｑ１は竪樋継手２７の内径Ｓ３と雨水Ｐの予想量との比較において最適な幅が選ばれる。
【００２３】
雨水ガイド部材３０と固着部材３１の材質は竪樋継手本体２７ａと同材料が好ましく、例えば硬質塩化ビニール樹脂等の合成樹脂が用いられる。
「竪樋継手の作用」
【００２４】
上記、円錐台形の雨水ガイド部材３０が竪樋継手本体２７ａの垂直軸心上で竪樋継手本体２７ａのエルボ内部の内壁面２７ｂに固着部材３１を介して固着される。より詳しくは、雨水ガイド部材３０の頂面３０ａと竪樋継手本体２７ａの下端部２７ｃは同心で、この同心の垂直延長線上の内壁面２７ｂと頂面３０ａ間が固着部材３１で連結固着され、固着部材３１は雨水ガイド部材３０の頂面３０ａと同じ外径Ｓ２の円筒形状で形成される。
【００２５】
このため、円錐台形の雨水ガイド部材３０が竪樋継手本体２７ａと円筒状の固着部材３１を介して同心で固着されるので、上流からの雨水Ｐは斜め上方から筒状の固着部材３１を回り込むようにして無理なく内壁面２７ｂ及び竪樋２３の内壁面２３ａに沿って全周に亘って流下する。
【００２６】
さらに、雨水ガイド部材３０の円錐台形状の周囲に沿って連続的に下方に間隙Ｑが減少するので、間隙Ｑの雨水Ｐは僅かではあるが時間を掛けて整流できるので、雨水ガイド部材３０から離れる状態で雨水Ｐが確実に竪樋２３の内壁面２３ａに沿って広がって流下できる。このように、雨水が竪樋２３の空間部を自由落下することがないので雨水が地面２４にぶつかって発生する落下音を確実に防止できることができる。また、従来例のような植毛等による消音層を設けないのでメンテナンスフリーで長期的にコスト低減できる。なお、竪樋２３の下端部２５は地面２４から高さＨ（略２０ｍｍ）で、雨水が自由落下するが騒音を発生するほどの落差ではない。
【００２７】
雨水ガイド部材３０は竪樋継手本体２７ａから下方に突出して形成されるので、雨水ガイド部材３０と竪樋継手本体２７ａの下端部２７ｃの間に間隙Ｑが確保できるので、竪樋継手本体２７ａの内部に固着部材３１を取付ける際に作業スペースが確保できるので取付作業が容易にできる。
【００２８】
＜本発明の第二の実施形態＞
以下に、本発明の第二の実施形態を図４を用いて説明する。
【００２９】
竪樋継手３５は竪樋２３の垂直部に設けられ、固着部材３６は雨水ガイド部材３７の側面３７ａと竪樋継手３５の内壁面３５ａとの間を９０度毎に合計４箇所で連結して固着される。頂面３７ｂは塞がれており底面３７ｃに塞ぎ板は設けない。この構成であれば本発明の第一の実施形態と同様の効果が得られる。
【００３０】
以上、本発明の実施例を図面に基づいて説明したが、具体的な構成はこの実施例に限られるものではなく本発明の要旨を逸脱しない範囲の設計変更等があっても本発明に含まれる。
【００３１】
たとえば、円錐台形の雨水ガイド部材３０は竪樋継手本体２７ａの内部に納まるように取付けてもよく、この場合は雨水ガイド部材３０と内壁面２７ｂを固着部材で９０度毎に合計４箇所で連結して固着され、雨水ガイド部材３０に塞ぎ板としての頂面３０ａが設けられる。円錐台形の雨水ガイド部材３０の上部に半球状部を備える形状でも良く、この形状であれば雨水ガイド部材３０の中央上方から雨水が流下しても雨水の流れに与える乱れの影響を少しでも軽減できるので、雨水を少しでも内壁面に沿って安定して流す効果がある。雨水ガイド部材は角錐台形形状、円錐形状、角錐形状でも使用できる。第一の実施形態と第二の実施形態を同時に実施しても構わない。
【図面の簡単な説明】
【００３２】
【図１】本発明の第一の実施形態における、竪樋２３の竪樋継手２７に雨水ガイド部材３０が取付けられる状態を示す一部断面視側面図である。
【図２】本発明の第一の実施形態における、図１のＡ―詳細断面図である。
【図３】本発明の第一の実施形態における、（ａ）は図２のＢ−Ｂ断面図、（ｂ）は図２のＣ−Ｃ断面図である。
【図４】本発明の第二実施形態における、（ａ）は竪樋２３の垂直部に設けられる竪樋継手３５の固着部材３６と雨水ガイド部材３７の状態を示す側面断面透視図、（ｂ）は図４（ａ）のＤ−Ｄ矢視図である。
【図５】従来例における、竪樋継手本体１の内壁面２より斜め下方へ傾斜して邪魔板３を突設し、邪魔板３の先端縁と竪樋継手本体１の対向する内壁面２との間に流通間隙４を形成する状態を示す側面断面図である。
【符号の説明】
【００３３】
２２  軒樋
２３  竪樋
２４  地面
２７  竪樋継手
２７ａ  竪樋継手本体
２７ｂ  内壁面
３０  雨水ガイド部材
３０ａ  頂面
３１  固着部材
Ｐ  雨水
Ｑ  間隙
【図１】
2010077632.tif 000003
【図２】
2010077632.tif 000004
【図３】
2010077632.tif 000005
【図４】
2010077632.tif 000006
【図５】
2010077632.tif 000007